(57)【要約】【課題】アンカーボルトを、型枠上に水平に設置されるその支持体に設けられた貫通孔を利用して、傾きなく適切に支持できるようにする。【解決手段】建築物の基礎Ｆを形成する型枠Ｍ上に水平に設置される支持体Ｐに対し、この基礎Ｆに埋設されるアンカーボルトＢを吊り下げ状に支持させる支持金具Ｓである。無頭で且つ下端面１ａ中央に突出部１ｂを備えた雄ネジ部材１と、ナット上側２ａをこの雄ネジ部材１の螺着部２ｂとすると共にナット下側２ｃを前記アンカーボルトＢの上端の螺着部２ｄとしたナット部材２とからなる。支持体Ｐを上下に貫通する貫通孔Ｐａに下方から通された雄ネジ部材１の上端に対するナット締めによりこの支持体Ｐに固定されるようになっている。【選択図】図４
2014040707.tif 000002
【特許請求の範囲】
【請求項１】
建築物の基礎を形成する型枠上に水平に設置される支持体に対し、この基礎に埋設されるアンカーボルトを吊り下げ状に支持させる支持金具であって、
無頭で且つ下端面中央に突出部を備えた雄ネジ部材と、
ナット上側をこの雄ネジ部材の螺着部とすると共に、ナット下側を前記アンカーボルトの上端の螺着部としたナット部材とからなり、
前記支持体を上下に貫通する貫通孔に下方から通された前記雄ネジ部材の上端に対するナット締めによりこの支持体に固定されるようになっていることを特徴とするアンカーボルトの支持金具。
【発明の詳細な説明】
【技術分野】
【０００１】
この発明は、型枠にコンクリートを打設して建築物の基礎を形成するに際して、この基礎に備えられるアンカーボルトを支持させるために用いられる支持金具に関する。
【背景技術】
【０００２】
コンクリート製の布基礎を形成する型枠上に水平に設置されて、この布基礎に備えられるアンカーボルトを吊り下げ状に支持するアンカーボルト設置金具がある。（特許文献１参照）かかる金具にあっては、アンカーボルトを傾かないように保持することが求められるところであり、特許文献１のものでは金具の基盤部に設けた筒体によってアンカーボルトを前記のように保持するようにしている。
【先行技術文献】
【特許文献】
【０００３】
【特許文献１】特許第３７４０２３２号公報
【発明の概要】
【発明が解決しようとする課題】
【０００４】
この発明が解決しようとする主たる問題点は、前記アンカーボルトを、型枠上に水平に設置されるその支持体に設けられた貫通孔を利用して、傾きなく適切に支持できるようにする点にある。
【課題を解決するための手段】
【０００５】
前記課題を解決するために、この発明にあっては、アンカーボルトの支持金具を、建築物の基礎を形成する型枠上に水平に設置される支持体に対し、この基礎に埋設されるアンカーボルトを吊り下げ状に支持させる支持金具であって、
無頭で且つ下端面中央に突出部を備えた雄ネジ部材と、
ナット上側をこの雄ネジ部材の螺着部とすると共に、ナット下側を前記アンカーボルトの上端の螺着部としたナット部材とからなり、
前記支持体を上下に貫通する貫通孔に下方から通された前記雄ネジ部材の上端に対するナット締めによりこの支持体に固定されるようになっているものとした。
【０００６】
支持金具を構成する雄ネジ部材の下端面及びアンカーボルトの上端面には、この雄ネジ部材及びアンカーボルトの周面に雄ネジを成形するときに歪みが生じ、これらの軸線に直角に交わる平坦面にならない。このため、単純に前記ナット部材のナット下側の螺着部にアンカーボルトの上端をネジつけると、ナット部材の内部での雄ネジ部材の下端面とアンカーボルトの上端面との突き合わせによって雄ネジ部材の軸線が鉛直線に沿うようにセットされていてもアンカーボルトの軸線はこの鉛直線に沿ったものとならなくなる。しかるに、この発明にかかる支持金具にあっては、前記ナット部材のナット下側の螺着部にアンカーボルトの上端をネジつけると、雄ネジ部材の下端面の中央に形成された突出部がアンカーボルトの上端面の中央に突き当たりその余の箇所においては雄ネジ部材の下端面とアンカーボルトの上端面とが接し合わないようにすることができる。これにより、支持金具を介して支持体によってアンカーボルトをその軸線を鉛直線に沿わせるように適切に支持させることができる。
【発明の効果】
【０００７】
この発明にかかる支持金具によれば、前記アンカーボルトを、型枠上に水平に設置されるその支持体に設けられた貫通孔を利用して、傾きなく適切に支持することができる。
【図面の簡単な説明】
【０００８】
【図１】図１は、実施の形態にかかる支持金具の要部斜視図である。
【図２】図２は、型枠にコンクリートを打設した状態を示した断面構成図である。
【図３】図３は、図２の要部を拡大して示した断面構成図である。
【図４】図４は、支持金具にアンカーボルトの上端をネジつけた状態を示した断面図である。
【図５】図５は、図１〜図４に示される支持金具の構成の一部を変更した構成例（第二例）にかかる支持金具にアンカーボルトの上端をネジつけた状態を示した断面図である。
【図６】図６は、図１〜図４に示される支持金具の構成の一部を変更した構成例（第三例）にかかる支持金具にアンカーボルトの上端をネジつけた状態を示した断面図である。
【図７】図７は、突出部を備えない雄ネジ部材を含んで構成された支持金具（参考例）にアンカーボルトの上端をネジつけた状態を示した断面図である。
【発明を実施するための形態】
【０００９】
以下、図１〜図７に基づいて、この発明の典型的な実施の形態について、説明する。この実施の形態にかかるアンカーボルトの支持金具Ｓは、型枠Ｍにコンクリートを打設して建築物の基礎Ｆを形成する際に、この基礎Ｆに下端側を埋設させてこの基礎Ｆから上端Ｂａ側を突き出させるアンカーボルトＢを、所定の位置においてその軸線ｘを鉛直線に沿わせるように支持させるために用いられるものである。
【００１０】
典型的には、かかる支持金具Ｓは、建物の土台や柱を基礎Ｆに対して固定するためのアンカーボルトＢを、この基礎Ｆの形成に先立ってその型枠Ｍの所定の位置に配置させるために用いられる。
【００１１】
より具体的には、かかる支持金具Ｓは、前記型枠Ｍ上に水平に設置される支持体Ｐに対し、この基礎に埋設されるアンカーボルトＢを吊り下げ状に支持させるものである。この支持状態から、型枠Ｍ内にコンクリートを打設することで前記のようにアンカーボルトＢを備えた基礎Ｆが形成される。基礎Ｆの形成後は、支持金具Ｓ及び支持体ＰはアンカーボルトＢから取り外される。図２中、符号Ｇは地盤面である。
【００１２】
かかる支持金具Ｓは、雄ネジ部材１と、ナット部材２とから構成される。
【００１３】
雄ネジ部材１は、無頭で且つ下端面１ａ中央に突出部１ｂを備えている。図示の例では、かかる雄ネジ部材１は、アンカーボルトＢの外径と等しい外径を備えた無頭ネジとして構成されている。図１〜図４に示す第一例では、前記突出部１ｂは、短寸の円柱状を呈している。かかる突出部１ｂは、典型的には、雄ネジ部材１を構成する棒材（図示は省略する。）の下端面１ａに対する切削加工によって形成される。図５に示される第二例では、かかる突出部１ｂを円錐状に構成させている。また、図６に示される第三例は、かかる突出部１ｂを半球状に構成させている。
【００１４】
ナット部材２は、ナット上側２ａをこの雄ネジ部材１の螺着部２ｂとすると共に、ナット下側２ｃを前記アンカーボルトＢの上端の螺着部２ｄとしている。図示の例では、かかるナット部材２は、六角ナット状を呈している。図示の例では、ナット部材２の軸方向略中程の位置に雄ネジ部材１の前記下端面１ａを位置させるようにして、このナット部材２に雄ネジ部材１の下端側がねじ込まれている。かかるナット部材２と雄ネジ部材１とは、典型的には、ナット部材２の上端側においてその側部にこのナット部材２を内外に貫通するネジ孔（図示は省略する。）を形成すると共に、このネジ孔に芋ネジをその先端がナット部材２内において雄ネジ部材１の外周部に圧接される位置までねじ込むことにより一体化される。
【００１５】
そして、かかる支持金具Ｓは、前記支持体Ｐを上下に貫通する貫通孔Ｐａに下方から通された前記雄ネジ部材１の上端に対するナット締めによりこの支持体Ｐに固定されるようになっている。図示の例では、支持体Ｐは、前記基礎Ｆを形成する左右の型枠構成体Ｍａ、Ｍａの上端上に水平に設置されるプレート状を呈している。支持体Ｐはその幅方向略中程の位置に前記貫通孔Ｐａを備えている。支持金具Ｓは、かかる貫通孔Ｐａに前記雄ネジ部材１の上端を通した状態から、この上端にナットＮをネジつけることにより、このナットＮと前記ナット部材２の上端との間で支持体Ｐを挟持し支持体Ｐに固定される。このように支持体Ｐに固定された支持金具Ｓのナット部材２がさらに、アンカーボルトＢの上端Ｂａにネジつけられる。これによって、アンカーボルトＢは型枠Ｍ上に水平に設置されるプレート体Ｐによって所定の位置において鉛直に支持される。図中符号３で示されるのは、支持体Ｐとナット部材２との間に介在されるスペーサー部材である。このスペーサー部材３の厚さを変えることで、基礎Ｆから突き出すアンカーボルトＢの上端Ｂａのレベルを変えることができる。支持金具Ｓ及び支持体Ｐは、型枠Ｍへのコンクリートの打設後に前記ナット部材２のアンカーボルトＢの上端へのネジつけを解くことで、アンカーボルトＢと分離され型枠Ｍ上から撤去される。
【００１６】
支持金具Ｓを構成する雄ネジ部材１の下端面１ａ及びアンカーボルトＢの上端面Ｂａ’には、この雄ネジ部材１及びアンカーボルトＢの周面に雄ネジを成形するときに歪みが生じ、これらの軸線に直角に交わる平坦面にならない。このため、単純に前記ナット部材２のナット下側２ｃの螺着部２ｄにアンカーボルトＢの上端Ｂａをネジつけると、ナット部材２の内部での雄ネジ部材１の下端面１ａとアンカーボルトＢの上端面Ｂａ’との突き合わせによって雄ネジ部材１の軸線ｘ’が鉛直線に沿うようにセットされていてもアンカーボルトＢの軸線ｘはこの鉛直線に沿ったものとならなくなる。（図７）しかるに、この実施の形態にかかる支持金具Ｓにあっては、前記ナット部材２のナット下側２ｃの螺着部２ｄにアンカーボルトＢの上端Ｂａをネジつけると、雄ネジ部材１の下端面１ａの中央に形成された突出部１ｂがアンカーボルトＢの上端面Ｂａ’の中央に突き当たりその余の箇所においては雄ネジ部材１の下端面１ａとアンカーボルトＢの上端面Ｂａ’とが接し合わないようにすることができる。これにより、支持金具Ｓを介して支持体ＰによってアンカーボルトＢをその軸線ｘを鉛直線に沿わせるように適切に支持させることができる。
【符号の説明】
【００１７】
Ｆ  基礎
Ｍ  型枠
Ｐ  支持体
Ｐａ  貫通孔
Ｂ  アンカーボルト
Ｓ  支持金具
１  雄ネジ部材
１ａ  下端面
１ｂ  突出部
２  ナット部材
２ａ  ナット上側
２ｂ  螺着部
２ｃ  ナット下側
２ｄ  螺着部
【図１】
2014040707.tif 000003
【図２】
2014040707.tif 000004
【図３】
2014040707.tif 000005
【図４】
2014040707.tif 000006
【図５】
2014040707.tif 000007
【図６】
2014040707.tif 000008
【図７】
2014040707.tif 000009